(57)【特許請求の範囲】
【請求項１】
加入者端末の動作方法において、
ハイブリッド自動再送要求の肯定応答情報（ｈｙｂｒｉｄ  ａｕｔｏｍａｔｉｃ−ｒｅｐｅａｔ−ｒｅｑｕｅｓｔ  ａｃｋｎｏｗｌｅｄｇｅｍｅｎｔ  ｉｎｆｏｒｍａｔｉｏｎ，ＨＡＲＱ−ＡＣＫ）又はランク指示（ｒａｎｋ  ｉｎｄｉｃａｔｉｏｎ，ＲＩ）に使用される資源エレメント（ｒｅｓｏｕｒｃｅ  ｅｌｅｍｅｎｔｓ、ＲＥｓ）の個数を決定する過程を含み；
前記資源エレメントの個数を決定する過程は、ＨＡＲＱ−ＡＣＫ又はＲＩのペイロードからビットの個数Ｏを決定する過程、ペイロードビットの個数Ｏが第１値より小さいまたは等しい時、前記ＨＡＲＱ−ＡＣＫ又はＲＩに使用される資源エレメントの最小個数Ｑｍｉｎは前記ペイロードビットの個数Ｏで決定され、
前記ペイロードビットの個数Ｏが前記第１値より大きく、第２値より小さいまたは等しい時、前記ＨＡＲＱ−ＡＣＫ又はＲＩに使用される資源エレメントの最小個数Ｑｍｉｎは前記ＨＡＲＱ−ＡＣＫ又はＲＩを含む伝送ブロックに対する変調次数Ｑ’ｍと前記ペイロードビットの個数Ｏの倍数に対する切り上げ関数に基づいて決定され；及び
前記最小個数Ｑｍｉｎに基づいて前記ＨＡＲＱ−ＡＣＫ又はＲＩに対する資源エレメントの個数を割り当てる過程を含む方法。
【請求項２】
前記ペイロードビットの個数Ｏが第１値より大きく、第２値より小さいまたは等しい時、前記ＨＡＲＱ−ＡＣＫ又はＲＩに使用される資源エレメントの最小個数Ｑｍｉｎは下記式に基づいて決定される請求項１に記載の方法。
【数１】
0005890415.tif 000063
【請求項３】
前記ペイロードビットの個数Ｏが２ビットである第１値と同じ時、前記最小個数Ｑｍｉｎは前記ペイロードビットの個数Ｏである請求項１に記載の方法。
【請求項４】
前記ＨＡＲＱ−ＡＣＫ又はＲＩに対する資源エレメントの個数は前記最小個数Ｑｍｉｎと符号化された変調シンボルの個数Ｑ’の中の最大値に基づいて決定される請求項１に記載の方法。
【請求項５】
前記ＨＡＲＱ−ＡＣＫ又はＲＩに対して割り当てられる資源エレメントの個数は下記式に基づいて決定される請求項４に記載の方法。
ＱＡＣＫ＝ＱＲＩ＝Ｑｍ・ｍａｘ（Ｑ’，Ｑｍｉｎ）
ここで、Ｑｍビットは１つのシンボルにマッピングされる。
【請求項６】
前記ペイロードビットの個数Ｏが前記第１値より大きく、前記第２値より小さいまたは等しい時、前記ＨＡＲＱ−ＡＣＫ又はＲＩに使用される資源エレメントの最小個数Ｑｍｉｎは下記式に基づいて決定される請求項１に記載の方法。
【数２】
0005890415.tif 000064
ここで、ｒは、０．５である。
【請求項７】
前記ペイロードビットの個数Ｏが前記第２値より大きい時、前記ＨＡＲＱ−ＡＣＫ又はＲＩに使用される資源エレメントの最小個数Ｑｍｉｎは前記ＨＡＲＱ−ＡＣＫ又はＲＩを含む前記伝送ブロックに対する最小変調次数に基づいて決定される請求項１に記載の方法。
【請求項８】
前記ペイロードビットの個数Ｏが前記第２値より大きい時、前記ＨＡＲＱ−ＡＣＫ又はＲＩに使用される資源エレメントの最小個数Ｑｍｉｎは下記式に基づいて決定される請求項１に記載の方法。
【数３】
0005890415.tif 000065
ここで、Ｑｍ１及びＱｍ２は第１伝送ブロック及び第２伝送ブロックに対する変調次数である。
【請求項９】
加入者端末において、
ハイブリッド自動再送要求の肯定応答情報（ｈｙｂｒｉｄ  ａｕｔｏｍａｔｉｃ−ｒｅｐｅａｔ−ｒｅｑｕｅｓｔ  ａｃｋｎｏｗｌｅｄｇｅｍｅｎｔ  ｉｎｆｏｒｍａｔｉｏｎ，ＨＡＲＱ−ＡＣＫ）又はランク指示（ｒａｎｋ  ｉｎｄｉｃａｔｉｏｎ，ＲＩ）に使用される資源エレメントの個数を決定するように構成される送受信機を含み、
前記送受信機は、前記ＨＡＲＱ−ＡＣＫ又はＲＩに対するペイロードビットの個数Ｏを決定し；
前記ペイロードビットの個数Ｏが第１値より小さいまたは等しい時、前記ＨＡＲＱ−ＡＣＫ又はＲＩに使用される資源エレメントの最小個数Ｑｍｉｎは前記ペイロードビットの個数Ｏで決定され；
前記ペイロードビットの個数Ｏが前記第１値より大きく、第２値より小さいまたは等しい時、前記ＨＡＲＱ−ＡＣＫ又はＲＩに使用される資源エレメントの最小個数Ｑｍｉｎは前記ＨＡＲＱ−ＡＣＫ又はＲＩを含む伝送ブロックに対する変調次数Ｑ’ｍと前記ペイロードビットの個数Ｏの倍数に対する切り上げ関数に基づいて決定され；及び
前記最小個数Ｑｍｉｎに基づいて前記ＨＡＲＱ−ＡＣＫ又はＲＩに対する資源エレメントの個数を割り当てるように構成される加入者端末。
【請求項１０】
前記ペイロードビットの個数Ｏが第１値より大きく、第２値より小さいまたは等しい時、前記ＨＡＲＱ−ＡＣＫ又はＲＩに使用される資源エレメントの最小個数Ｑｍｉｎは下記式に基づいて決定される請求項９に記載の加入者端末。
【数４】
0005890415.tif 000066
【請求項１１】
前記ペイロードビットの個数Ｏが２ビットである第１値と同じ時、前記最小個数Ｑｍｉｎは前記ペイロードビットの個数Ｏである請求項９に記載の加入者端末。
【請求項１２】
前記ＨＡＲＱ−ＡＣＫ又はＲＩに対する資源エレメントの個数は前記最小個数Ｑｍｉｎと符号化された変調シンボルの個数Ｑ’の中の最大値に基づいて決定される請求項９に記載の加入者端末。
【請求項１３】
前記ＨＡＲＱ−ＡＣＫ又はＲＩに対して割り当てられる資源エレメントの個数は下記式に基づいて決定される請求項１２記載の加入者端末。
ＱＡＣＫ＝ＱＲＩ＝Ｑｍ・ｍａｘ（Ｑ’，Ｑｍｉｎ）
ここで、Ｑｍビットは１つのシンボルにマッピングされる。
【請求項１４】
前記ペイロードビットの個数Ｏが前記第１値より大きく、前記第２値より小さいまたは等しい時、前記ＨＡＲＱ−ＡＣＫ又はＲＩに使用される資源エレメントの最小個数Ｑｍｉｎは下記式に基づいて決定される請求項９に記載の加入者端末。
【数５】
0005890415.tif 000067
ここで、ｒは、０．５である。
【請求項１５】
前記ペイロードビットの個数Ｏが前記第２値より大きい時、前記ＨＡＲＱ−ＡＣＫ又はＲＩに使用される資源エレメントの最小個数Ｑｍｉｎは前記ＨＡＲＱ−ＡＣＫ又はＲＩを含む前記伝送ブロックに対する最小変調次数に基づいて決定される請求項９に記載の加入者端末。
【請求項１６】
前記ペイロードビットの個数Ｏが前記第２値より大きい時、前記ＨＡＲＱ−ＡＣＫ又はＲＩに使用される資源エレメントの最小個数Ｑｍｉｎは下記式に基づいて決定される請求項９に記載の加入者端末。
【数６】
0005890415.tif 000068
ここで、Ｑｍ１及びＱｍ２は第１伝送ブロック及び第２伝送ブロックに対する変調次数である。
【請求項１７】
基地局の動作方法において、
ハイブリッド自動再送要求の肯定応答情報（ｈｙｂｒｉｄ  ａｕｔｏｍａｔｉｃ−ｒｅｐｅａｔ−ｒｅｑｕｅｓｔ  ａｃｋｎｏｗｌｅｄｇｅｍｅｎｔ  ｉｎｆｏｒｍａｔｉｏｎ，ＨＡＲＱ−ＡＣＫ）又はランク指示（ｒａｎｋ  ｉｎｄｉｃａｔｉｏｎ，ＲＩ）のために加入者端末によって利用される資源エレメントの個数を決定する方法を含み；
前記資源エレメントの個数は前記ＨＡＲＱ−ＡＣＫ又はＲＩに対するペイロードビットの個数Ｏに基づいて決定され、
前記ペイロードビットの個数Ｏが第１値より小さいまたは等しい時、前記ＨＡＲＱ−ＡＣＫ又はＲＩに使用される資源エレメントの最小個数Ｑｍｉｎは前記ペイロードビットの個数Ｏで決定され、
前記ペイロードビットの個数Ｏが前記第１値より大きく、第２値より小さいまたは等しい時、前記ＨＡＲＱ−ＡＣＫ又はＲＩに使用される資源エレメントの最小個数Ｑｍｉｎは前記ＨＡＲＱ−ＡＣＫ又はＲＩを含む伝送ブロックに対する変調次数Ｑ’ｍと前記ペイロードビットの個数Ｏの倍数に対する切り上げ関数に基づいて決定され；及び
前記ＨＡＲＱ−ＡＣＫ又はＲＩに対する資源エレメントの個数は前記最小個数Ｑｍｉｎを基づいて決定される方法。
【請求項１８】
前記ペイロードビットの個数Ｏが第１値より大きく、第２値より小さいまたは等しい時、前記ＨＡＲＱ−ＡＣＫ又はＲＩに使用される資源エレメントの最小個数Ｑｍｉｎは下記式に基づいて決定される請求項１７に記載の方法。
【数７】
0005890415.tif 000069
【請求項１９】
前記ペイロードビットの個数Ｏが２ビットである第１値と同じ時、前記最小個数Ｑｍｉｎは前記ペイロードビットの個数Ｏである請求項１７に記載の方法。
【請求項２０】
前記ＨＡＲＱ−ＡＣＫ又はＲＩに対する資源エレメントの個数は前記最小個数Ｑｍｉｎと符号化された変調シンボルの個数Ｑ’の中の最大値に基づいて決定される請求項１７に記載の方法。
【請求項２１】
前記ＨＡＲＱ−ＡＣＫ又はＲＩに対して割り当てられる資源エレメントの個数は下記式に基づいて決定される請求項２０に記載の方法。
ＱＡＣＫ＝ＱＲＩ＝Ｑｍ・ｍａｘ（Ｑ’，Ｑｍｉｎ）
ここで、Ｑｍビットは１つのシンボルにマッピングされる。
【請求項２２】
前記ペイロードビットの個数Ｏが前記第１値より大きく、前記第２値より小さいまたは等しい時、前記ＨＡＲＱ−ＡＣＫ又はＲＩに使用される資源エレメントの最小個数Ｑｍｉｎは下記式に基づいて決定される請求項１７に記載の方法。
【数８】
0005890415.tif 000070
ここで、ｒは、０．５である。
【請求項２３】
前記ペイロードビットの個数Ｏが前記第２値より大きい時、前記ＨＡＲＱ−ＡＣＫ又はＲＩに使用される資源エレメントの最小個数Ｑｍｉｎは前記ＨＡＲＱ−ＡＣＫ又はＲＩを含む前記伝送ブロックに対する最小変調次数に基づいて決定される請求項１７に記載の方法。
【請求項２４】
前記ペイロードビットの個数Ｏが前記第２値より大きい時、前記ＨＡＲＱ−ＡＣＫ又はＲＩに使用される資源エレメントの最小個数Ｑｍｉｎは下記式に基づいて決定される請求項１７に記載の方法。
【数９】
0005890415.tif 000071
ここで、Ｑｍ１及びＱｍ２は第１伝送ブロック及び第２伝送ブロックに対する変調次数である。
【請求項２５】
基地局において、
ハイブリッド自動再送要求の肯定応答情報（ｈｙｂｒｉｄ  ａｕｔｏｍａｔｉｃ−ｒｅｐｅａｔ−ｒｅｑｕｅｓｔ  ａｃｋｎｏｗｌｅｄｇｅｍｅｎｔ  ｉｎｆｏｒｍａｔｉｏｎ，ＨＡＲＱ−ＡＣＫ）又はランク指示（ｒａｎｋ  ｉｎｄｉｃａｔｉｏｎ，ＲＩ）のために加入者端末によって利用される資源エレメントの個数を決定するように構成される受信機を含み、
前記資源エレメントの個数は前記ＨＡＲＱ−ＡＣＫ又はＲＩに対するペイロードビットの個数Ｏに基づいて決定され、
前記ペイロードビットの個数Ｏが第１値より小さいまたは等しい時、前記ＨＡＲＱ−ＡＣＫ又はＲＩに使用される資源エレメントの最小個数Ｑｍｉｎは前記ペイロードビットの個数Ｏで決定され、
前記ペイロードビットの個数Ｏが前記第１値より大きく、第２値より小さいまたは等しい時、前記ＨＡＲＱ−ＡＣＫ又はＲＩに使用される資源エレメントの最小個数Ｑｍｉｎは前記ＨＡＲＱ−ＡＣＫ又はＲＩを含む伝送ブロックに対する変調次数Ｑ’ｍと前記ペイロードビットの個数Ｏの倍数に対する切り上げ関数に基づいて決定され；及び
前記ＨＡＲＱ−ＡＣＫ又はＲＩに対する資源エレメントの個数は前記最小個数Ｑｍｉｎを基づいて決定される基地局。
【請求項２６】
前記ペイロードビットの個数Ｏが第１値より大きく、第２値より小さいまたは等しい時、前記ＨＡＲＱ−ＡＣＫ又はＲＩに使用される資源エレメントの最小個数Ｑｍｉｎは下記式に基づいて決定される請求項２５に記載の基地局。
【数１０】
0005890415.tif 000072
【請求項２７】
前記ペイロードビットの個数Ｏが２ビットである第１値と同じ時、前記最小個数Ｑｍｉｎは前記ペイロードビットの個数Ｏである請求項２５に記載の基地局。
【請求項２８】
前記ＨＡＲＱ−ＡＣＫ又はＲＩに対する資源エレメントの個数は前記最小個数Ｑｍｉｎと符号化された変調シンボルの個数Ｑ’の中の最大値に基づいて決定される請求項２５に記載の基地局。
【請求項２９】
前記ＨＡＲＱ−ＡＣＫ又はＲＩに対して割り当てられる資源エレメントの個数は下記式に基づいて決定される請求項２８に記載の基地局。
ＱＡＣＫ＝ＱＲＩ＝Ｑｍ・ｍａｘ（Ｑ’，Ｑｍｉｎ）
ここで、Ｑｍビットは１つのシンボルにマッピングされる。
【請求項３０】
前記ペイロードビットの個数Ｏが前記第１値より大きく、前記第２値より小さいまたは等しい時、前記ＨＡＲＱ−ＡＣＫ又はＲＩに使用される資源エレメントの最小個数Ｑｍｉｎは下記式に基づいて決定される請求項２５に記載の基地局。
【数１１】
0005890415.tif 000073
ここで、ｒは、０．５である。
【請求項３１】
前記ペイロードビットの個数Ｏが前記第２値より大きい時、前記ＨＡＲＱ−ＡＣＫ又はＲＩに使用される資源エレメントの最小個数Ｑｍｉｎは前記ＨＡＲＱ−ＡＣＫ又はＲＩを含む前記伝送ブロックに対する最小変調次数に基づいて決定される請求項２５に記載の基地局。
【請求項３２】
前記ペイロードビットの個数Ｏが前記第２値より大きい時、前記ＨＡＲＱ−ＡＣＫ又はＲＩに使用される資源エレメントの最小個数Ｑｍｉｎは下記式に基づいて決定される請求項２５に記載の基地局。
【数１２】
0005890415.tif 000074
ここで、Ｑｍ１及びＱｍ２は第１伝送ブロック及び第２伝送ブロックに対する変調次数である。
【発明の詳細な説明】
【技術分野】
【０００１】
一般的に、本発明は無線通信に関し、特にアップリンク多重入出力（ｍｕｌｔｉｐｌｅ−ｉｎｐｕｔ  Ｍｕｌｔｉｐｌｅ−ｏｕｔｐｕｔ，ＭＩＭＯ）システムにおける制御及びデータの多重化する方法及び装置に関する。
【背景技術】
【０００２】
次の文書と標準に対する説明は、本特許文書において全て提示されたように本願における参照として含まれる：ｉ）３ＧＰＰ技術規格Ｎｏ．３６．２１１，バージョン８．５．０、『Ｅ−ＵＴＡ、物理的チャンネル及び変調（Ｐｈｙｓｉｃａｌ  Ｃｈａｎｎｅｌｓ  Ａｎｄ  Ｍｏｄｕｌａｔｉｏｎｓ）』、２００８年１２月（以下、『ＲＥＦ１』）；ii）３ＧＰＰ技術規格Ｎｏ．３６．２１２，バージョン８．５．０、『Ｅ−ＵＴＲＡ、多重化及びチャンネルコーディング（Ｍｕｌｔｉｐｌｅｘｉｎｇ  Ａｎｄ  Ｃｈａｎｎｅｌ  ｃｏｄｉｎｇ）』、２００８年１２月（以下、『ＲＥＦ２』）；iii）３ＧＰＰ技術規格Ｎｏ．３６．２１３，バージョン８．５．０『Ｅ−ＵＴＲＡ、物理的階層手続（Ｐｈｙｓｉｃａｌ  Ｌａｙｅｒ  Ｐｒｏｃｅｄｕｒｅｓ）』、２００８年１２月（以下、『ＲＥＦ３』）；iv）米国仮特許Ｎｏ．６１／２０６，４５５，２００９年１月３０日出願、『ＭＩＭＯ無線システムにおけるアップリンクデータ及び制御信号の伝送（Ｕｐｌｉｎｋ  Ｄａｔａ  Ａｎｄ  Ｃｏｎｔｒｏｌ  Ｓｉｇｎａｌ  Ｔｒａｎｓｍｉｓｓｉｏｎ  Ｉｎ  ＭＩＭＯ  Ｗｉｒｅｌｅｓｓ  Ｓｙｓｔｅｍｓ）』及び米国特許出願Ｎｏ．１２／６４１，９５１、２００９年１２月１８日出願、『ＭＩＭＯ無線システムにおけるアップリンクデータ及び制御信号伝送のためのシステム及び方法（Ｓｙｓｔｅｍ  Ａｎｄ  Ｍｅｔｈｏｄ  Ｆｏｒ  Ｕｐｌｉｎｋ  Ｄａｔａ  Ａｎｄ  Ｃｏｎｔｒｏｌ  Ｓｉｇｎａｌ  Ｔｒａｎｓｍｉｓｓｉｏｎ）』（以下、『ＲＥＦ４』）；３ＧＰＰ技術規格Ｎｏ．３６．８１４、『Ｅ−ＵＴＲＡ物理階層側面に対する発展法案（Ｆｕｒｔｈｅｒ  Ａｄｖａｎｃｅｍｅｎｔｓ  Ｆｏｒ  Ｅ−ＵＴＲＡ  Ｐｈｙｓｉｃａｌ  Ｌａｙｅｒ  Ａｓｐｅｃｔｓ）』（以下、『ＲＥＦ５』）；３ＧＰＰ  ＲＡＮ１＃６１議長メモ（Ｃｈａｉｒｍａｎ’ｓ  ｎｏｔｅｓ）（以下、『ＲＥＦ６』）；３ＧＰＰ  ＲＡＮ１＃６１ｂｉｓ議長メモ（Ｃｈａｉｒｍａｎ’ｓ  ｎｏｔｅｓ）（以下、『ＲＥＦ７』）；及び３ＧＰＰ  ＴＤＯＣ  Ｒ１−１０４９７１（以下、『ＲＥＦ８』）。
【０００３】
ＬＴＥ（Ｌｏｎｇ  Ｔｅｒｍ  Ｅｖｏｌｕｔｉｏｎ）参照文献であるＲＥＦ１、ＲＥＦ２及びＲＥＦ３における制御及びデータ信号の多重化が３ＧＰＰ標準のリリース（Ｒｅｌｅａｓｅ）８（Ｒｅｌ−８）にて論議された。例えば、データ及び制御多重化は移動局から基地局への単一搬送波周波数分割多重接続（ｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ，ＳＣ−ＦＤＭＡ）アップリンク伝送で達成され得る。基地局はデータと制御情報を逆多重化して移動局から基地局へのチャンネル特性を決定する。３ＧＰＰ  ＬＴＥ標準において、アップリンク伝送は一つの階層のみを使用する。
【０００４】
しかしながら、３ＧＰＰ  ＬＴＥ標準に統合される候補の４ＧシステムであるＬＴＥ−アドバンスド（Ｌｏｎｇ  Ｔｅｒｍ  Ｅｖｏｌｕｔｉｏｎ  Ａｄｖａｎｃｅｄ，ＬＴＥ−Ａ）標準のリリース１０にてアップリンク多重入出力（ｕｐｌｉｎｋ  ｍｕｌｔｉｐｌｅ−ｉｎｐｕｔ  ｍｕｌｔｉｐｌｅ−ｏｕｔｐｕｔ、ＵＬ−ＭＩＭＯ）の空間多重化（ｓｐａｔｉａｌ  ｍｕｌｔｉｐｌｅｘｉｎｇ，ＳＭ）が導入されており、これは多数のコードワードが多数の階層に分割されることを許容する。
【０００５】
よって、ＭＩＭＯシステムにおいて移動局から基地局へのアップリンクで制御情報とデータを多重化する改善された装置及び方法が必要である。
【発明の概要】
【発明が解決しようとする課題】
【０００６】
本発明の課題は、ＭＩＭＯシステムにおいて移動局から基地局へのアップリンクで制御情報とデータを多重化する改善された装置及び方法を提供することにある。
【課題を解決するための手段】
【０００７】
ロングタームエボリューションアドバンスド（Ｌｏｎｇ−Ｔｅｒｍ  Ｅｖｏｌｕｔｉｏｎ  Ａｄｖａｎｃｅｄ）標準に応じて動作する無線ネットワークにて使用するための、多重入力多重出力（ｍｕｌｔｉｐｌｅ−ｉｎｐｕｔ  ｍｕｌｔｉｐｌｅ−ｏｕｔｐｕｔ，ＭＩＭＯ）の物理アップリンク共有チャンネル（ｐｈｙｓｉｃａｌ  ｕｐｌｉｎｋ  ｓｈａｒｅｄ  ｃｈａｎｎｅｌ，ＰＵＳＣＨ）上でハイブリッド自動再送要求の肯定応答情報（ｈｙｂｒｉｄ  ａｕｔｏｍａｔｉｃ−ｒｅｐｅａｔ−ｒｅｑｕｅｓｔ  ａｃｋｎｏｗｌｅｄｇｅｍｅｎｔ  ｉｎｆｏｒｍａｔｉｏｎ，ＨＡＲＱ−ＡＣＫ）又はランク指示（ｒａｎｋ  ｉｎｄｉｃａｔｉｏｎ，ＲＩ）に使用され得る多数の資源エレメントを決定する方法が提供される。前記方法は、ＨＡＲＱ−ＡＣＫ又はＲＩに対するペイロード（ｐａｙｌｏａｄ）にてビットの個数Ｏを決定するステップを含む。また、この方法は、ペイロードＯが第１範囲に存在するとき、第１数式に従ってＨＡＲＱ−ＡＣＫ又はＲＩに使用される資源エレメントの最小個数Ｑｍｉｎを決定するステップを含む。また、この方法は、ペイロードＯが第２範囲に存在するとき、第２数式に従ってＨＡＲＱ−ＡＣＫ又はＲＩに使用される資源エレメントの最小個数Ｑｍｉｎを決定するステップを含む。なお、この方法は、Ｑｍｉｎと第３数式に従って資源エレメントの個数Ｑ’を決定するステップを含む。さらに、この方法は、ＨＡＲＱ−ＡＣＫ又はＲＩに対するＱ’個の資源エレメントを割当するステップを含む。この方法は、ＨＡＲＱ−ＡＣＫ又はＲＩ資源エレメントをＰＵＳＣＨにある複数のデータ資源エレメントと多重化するステップを更に含む。
【０００８】
また、上述の方法を行うように構成された移動局が提供される。
ロングタームエボリューションアドバンスド（Ｌｏｎｇ−Ｔｅｒｍ  Ｅｖｏｌｕｔｉｏｎ  Ａｄｖａｎｃｅｄ）標準に応じて動作する無線ネットワークにて使用するために、ＭＩＭＯ  ＰＵＳＣＨ上でＨＡＲＱ−ＡＣＫ又はＲＩに対する資源エレメントを移動局から受信する方法が提供される。前記方法は、ＨＡＲＱ−ＡＣＫ又はＲＩに対するペイロードから個数Ｏを決定するステップを含む。また、この方法はペイロードＯが第１範囲に存在するとき、第１数式に従ってＨＡＲＱ−ＡＣＫ又はＲＩに使用される資源エレメントの最小個数Ｑｍｉｎを決定するステップを含む。また、この方法は、ペイロードＯが第２範囲に存在するとき、第２数式に従ってＨＡＲＱ−ＡＣＫ又はＲＩに使用される資源エレメントの最小個数Ｑｍｉｎを決定するステップを含む。なお、この方法はＱｍｉｎと第３数式に従って資源エレメントの個数Ｑ’を決定するステップを含む。さらに、この方法、移動局からＰＵＳＣＨを受信するステップを含み、ＰＵＳＣＨは複数のデータ資源エレメントと多重化された、ＨＡＲＱ−ＡＣＫ又はＲＩに対するＱ’個の資源エレメントを含む。
【０００９】
また、上述した方法を行うように構成された基地局が提供される。
下記の発明を実施するための形態を作成する前、本特許文書全般にかけて使用される単語と句に対する定義を提示することが有利である。用語『構成する（ｉｎｃｌｕｄｅ）』及び『含む（ｃｏｍｐｒｉｓｅ』とその派生語は制限のない含みを意味する。用語『又は（ｏｒ）』は包括的（ｉｎｃｌｕｓｉｖｅ）なであって、及び／又は（ａｎｄ／ｏｒ）を意味する。句『○○と関連した（ａｓｓｏｃｉａｔｅｄ  ｗｉｔｈ）』及び『その中で関連した（ａｓｓｏｃｉａｔｅｄ  ｔｈｅｒｅｗｉｔｈ）』とその派生語は構成する（ｉｎｃｌｕｄｅ）、○○中で構成される（ｂｅ  ｉｎｃｌｕｄｅｄ  ｗｉｔｈｉｎ）、相互連結される（ｉｎｔｅｒｃｏｎｎｅｃｔ  ｗｉｔｈ）、含まれる（ｃｏｎｔａｉｎ）、○○中で含まれた（ｂｅ  ｃｏｎｔａｉｎｅｄ  ｗｉｔｈ）、○○に又は○○と連結された（ｃｏｎｎｅｃｔ  ｔｏ  ｏｒ  ｗｉｔｈ）、○○に又は○○と結合された（ｃｏｕｐｌｅ  ｔｏ  ｏｒ  ｗｉｔｈ）、○○と通信可能の（ｂｅ  ｃｏｍｍｕｎｉｃａｂｌｅ  ｗｉｔｈ）、○○と協力する（ｃｏｏｐｅｒａｔｅ  ｗｉｔｈ）、割り込む（ｉｎｔｅｒｌｅａｖｅ）、並置する（ｊｕｘｔａｐｏｓｅ）、近接の（ｂｅ  ｐｒｏｘｉｍａｔｅ  ｔｏ）、○○に又は○○と警戒する（ｂｅ  ｂｏｕｎｄ  ｔｏ  ｏｒ  ｗｉｔｈ）、有する（ｈａｖｅ）、○○の特徴を有する（ｈａｖｅ  ａ  ｐｒｏｐｅｒｔｙ  ｏｆ）、又はその他のようなことを意味することができる。そして用語『制御部（ｃｏｎｔｒｏｌｌｅｒ）』は少なくとも一つの動作を制御する所定のデバイス、システム又はその一部を意味し、そのようなデバイスはハードウェア、ファームウェア又はソフトウェア、又はその少なくとも二つの結合で具現され得る。所定の特別な制御部と関連した機能は集中されているか、又は局部的に若しくは遠距離に分散され得る。如何なる単語と句に対する定義は本特許文書全体にかけて提供され、この技術が属する分野の当業者は殆どはなくても多くの場合、その定義が未来のみならずその以前にもそのように定義された単語と句を使用するのに適用されることを理解してなければならない。
【００１０】
本発明の実施例によると、ロングタームエボリューションアドバンスド（Ｌｏｎｇ−Ｔｅｒｍ  Ｅｖｏｌｕｔｉｏｎ  Ａｄｖａｎｃｅｄ）標準に応じて動作する無線ネットワークの、移動局がＭＩＭＯ  ＰＵＳＣＨ上でＨＡＲＱ−ＡＣＫ又はＲＩに対する資源エレメントの個数を決定し、このように決定されたＨＡＲＱ−ＡＣＫ又はＲＩ資源エレメントをＰＵＳＣＨにある複数のデータ資源エレメントと多重化することができる。
【００１１】
このように本発明の実施例によると、ＭＩＭＯシステムにおいて移動局から基地局へのアップリンクで制御情報とデータを多重化する新たな方法及び装置を提供することができる。
【図面の簡単な説明】
【００１２】
本発明のその長所に対するより詳しい理解をたすけるために添付の図面を参照して次の詳しい説明がなしている。図面において同じ参照番号は、同じ構成要素を示す。
【図１】本開示の一実施例による、アップリンクサウンディング参照信号（ｓｏｕｄｉｎｇ  ｒｅｆｅｒｅｎｃｅ  ｓｉｇｎａｌｓ，ＳＲＳ）を送信する例示的な無線ネットワークを示す図である。
【図２】本開示の一実施例による、４×４の多重入力多重出力（ｍｕｌｔｉｐｌｅ−ｉｎｐｕｔ  ｍｕｌｔｉｐｌｅ−ｏｕｔｐｕｔ、ＭＩＭＯ）システムを示す図である。
【図３】物理アップリンク共有チャンネル（ｐｈｙｓｉｃａｌ  ｕｐｌｉｎｋ  ｓｈａｒｅｄ  ｃｈａｎｎｅｌ，ＰＵＳＣＨ）のデータチャンネルの単一搬送波周波数分割多重接続（ｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ，ＳＣ−ＦＤＭＡ）のアップリンク（ｕｐｌｉｎｋ，ＵＬ）伝送を示す図である。
【図４】ＵＬ伝送においてデータ／制御情報の多重化機能を示すグラフである。
【図５】３ＧＰＰ  ＬＴＥリリース８及び９においてＵＬ−ＳＣＨ伝送（ｔｒａｎｓｐｏｒｔ）チャンネルに対するコーディングステップを示す図である。
【図６】３ＧＰＰ  ＬＴＥリリース８及び９においてＵＬ物理チャンネル処理を快活的に示す図である。
【図７】ＵＬ多重入力多重出力（ｍｕｌｔｉｐｌｅ−ｉｎｐｕｔ  ｍｕｌｔｉｐｌｅ−ｏｕｔｐｕｔ，ＭＩＭＯ）の空間多重化（ｓｐａｔｉａｌ  ｍｕｌｔｉｐｌｅｘｉｎｇ，ＳＭ）伝送で二つのコードワードを使用した伝送チェーンを示す図である。
【図８Ａ】本開示の一実施例による、チャンネルコーディングのための方法を示す図である。
【図８Ｂ】本開示の一実施例による、チャンネルコーディングのための方法を示す図である。
【図８Ｃ】本開示の一実施例による、チャンネルコーディングのための方法を示す図である。
【発明を実施するための形態】
【００１３】
下記の図１乃至図８Ｃ及び本特許文書において本発明の原理を説明するために使用された多様な実施例は単なる説明のためであって、本発明の範囲を制限するために所定の方式で解析されてはならない。当業者は、本発明の原理が適切に配列された無線通信システムにおいて具現され得ることが理解できるだろう。  
【００１４】
図１は、本開示の一実施例によってアップリンクサウンディング参照信号（ｓｏｕｎｄｉｎｇ  ｒｅｆｅｒｅｎｃｅ  ｓｉｇｎａｌｓ，ＳＲＳ）を送信する例示的な無線ネットワーク１００を示す図である。無線ネットワーク１００は基地局（ｂａｓｅ  ｓｔａｔｉｏｎ，ＢＳ）１０１、基地局（ＢＳ）１０２、基地局（ＢＳ）１０３及び他の類似した基地局（図示せず）を含む。基地局１０１はインターネット１３０又は類似したＩＰ基盤のネットワーク（図示せず）と通信する。
【００１５】
ネットワーク型に従って、『基地局（ｂａｓｅ  ｓｔａｔｉｏｎ）』の代わりに『ｅＮｏｄｅＢ』又は『アクセスポイント（ａｃｃｅｓｓ  ｐｏｉｎｔ）』のように他の公知の用語が使用されてもよい。便宜上、ここでの用語『基地局（ｂａｓｅ  ｓｔａｔｉｏｎ）』は遠隔端末機に無線接続を提供するネットワーク下部構造の構成要素を示すことと使用される。
【００１６】
基地局１０２は、基地局１０２のカバレッジ領域１２０内に存在する複数の第１移動局にインターネット１３０への無線広帯域接続を提供する。複数の第１加入者局（ｓｕｂｓｃｒｉｂｅｒ  ｓｔａｔｉｏｎ）は小規模事業者（ｓｍａｌｌ  ｂｕｓｉｎｅｓｓ，ＳＢ）に位置し得る移動局１１１を含み、大型企業（ｅｎｔｅｒｐｒｉｓｅ，Ｅ）に位置し得る移動局１１２を含み、ＷｉＦｉホットスポット（ｈｏｔｓｐｏｔ，ＨＳ）に位置し得る移動局１１３を含み、第１居住地（ｒｅｓｉｄｅｎｃｅ，Ｒ）に位置し得る移動局１１４を含み、第２居住地Ｒに位置し得る移動局１１５を含み、そして携帯電話（ｃｅｌｌ  ｐｈｏｎｅ）、無線ラップトップ、無線ＰＤＡなどのような移動装置（ｍｏｂｉｌｅ  ｄｅｖｉｃｅ，Ｍ）であり得る移動局１１６を含む。
【００１７】
便宜上、ここで用語『移動局（ｍｏｂｉｌｅ  ｓｔａｔｉｏｎ）』は移動局が実際に移動装置（例えば、携帯電話）であるか又は通常停止している装置（例えば、デスクトップ、パーソナルコンピュータ、自動販売機など）として考慮されることであるかに関係なく無線で基地局に接続する所定の遠隔無線装備を指定することに使用される。他のシステムにおいて『移動局』の代わりに『加入者局（ｓｕｂｓｃｒｉｂｅｒ  ｓｔａｔｉｏｎ，ＳＳ）』、『遠隔端末機（ｒｅｍｏｔｅ  ｔｅｒｍｉｎａｌ，ＲＴ）』、『無線端末機（ｗｉｒｅｌｅｓｓ  ｔｅｒｍｉｎａｌ，ＷＴ）』、『ユーザ端末機（ｕｓｅｒ  ｅｑｕｉｐｍｅｎｔ，ＵＥ）』などのように公知の用語が使用されてもよい。
【００１８】
基地局１０３は、基地局１０３のカバレッジ領域１２５中に存在する複数の第２移動局にインターネット１３０への無線広帯域接続を提供する。複数の第２移動局は移動局１１５及び移動局１１６を含む。例示的な実施例において基地局１０１乃至１０３はＯＦＤＭ又はＯＦＤＭＡ方式を使用して相互通信することができ、移動局１１１乃至１１６と通信することができる。
【００１９】
図１には、単に６個の移動局が図示されているが、無線ネットワーク１００は追加的な移動局に無線広帯域接続を提供することができると理解される。移動局１１５及び移動局１１６はカバレッジ領域１２０及びカバレッジ領域１２５の側に位置することに留意しなければならない。移動局１１５及び移動局１１６はそれぞれ基地局１０２及び基地局１０３と通信して当業者にとって公知のハンドオフ（ｈａｎｄｏｆｆ）モードで動作するといえる。
【００２０】
無線通信チャンネルの容量と信頼度を改善するために、基地局及び単一移動局両方で多重送信アンテナと多重受信アンテナを使用することは、単一ユーザ多重入力、多重出力（Ｓｉｎｇｌｅ  Ｕｓｅｒ  Ｍｕｌｔｉｐｌｅ−Ｉｎｐｕｔ，Ｍｕｌｔｉｐｌｅ−Ｏｕｔｐｕｔ，ＳＵ−ＭＩＭＯ）システムとして知られている。ＭＩＭＯシステムは容量において線形的にＫ分増加し、ここでＫは送信アンテナの数Ｍ及びアンテナの数Ｎのうち最小（即ち、Ｋ＝ｍｉｎ（Ｍ，Ｎ））である。ＭＩＭＯシステムは空間多重、送信及び受信ビームフォーミング、又は送信及び受信ダイバーシティ（ｄｉｖｅｒｓｉｔｙ）方式で具現され得る。
【００２１】
図２は、本開示の一実施例による４×４多重入力多重出力（ｍｕｌｔｉｐｌｅ−ｉｎｐｕｔ  ｍｕｌｔｉｐｌｅ−ｏｕｔｐｕｔ，ＭＩＭＯ）システム２００を示す図である。この例で４個の異なるデータストリーム２０２が４個の送信アンテナ２０４を使用して個別的に送信される。送信された信号は４個の受信アンテナ２０６で受信されて受信された信号２０８として解析される。空間信号処理２１０の一部形態は４個のデータストリーム２１２を復元するために受信信号２０８に対して行われる。
【００２２】
空間信号処理の一例が直交ベル研究所の階層化空間時間（Ｖｅｒｔｉｃａｌ  Ｂｅｌｌ  Ｌａｂｓ  Ｌａｙｅｒｅｄ  Ｓｐａｃｅ  Ｔｉｍｅ，Ｖ−ＢＬＡＳＴ）であって、これは連続的な干渉除去原理を使用して送信されたデータストリームを復元する。他のＭＩＭＯ方式の変形は送信アンテナを介した一種の空間‐時間コーディングを行う方式（例えば、対角ベル研究所階層化空間−時間（Ｄｉａｇｏｎａｌ  Ｂｅｌｌ  Ｌａｂｏｒａｔｏｒｉｅｓ  Ｌａｙｅｒｅｄ  Ｓｐａｃｅ−Ｔｉｍｅ，Ｄ−ＢＬＡＳＴ））を含む。また、無線通信システムにおいてリンク信頼度又はシステム容量を改善するために送信及び受信ダイバーシティ方式と、送信及び受信ビームフォーミング方式を有するＭＩＭＯが具現されることができる。
【００２３】
データチャンネル物理アップリンク共有チャンネル（ｐｈｙｓｉｃａｌ  ｕｐｌｉｎｋ  ｓｈａｒｅｄ  ｃｈａｎｎｅｌ，ＰＵＳＣＨ）の単一搬送波周波数分割多重接続（ｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ，ＳＣ−ＦＤＭＡ）のアップリンク（ｕｐｌｉｎｋ，ＵＬ）伝送は、３ＧＰＰ  ＬＴＥシステムに対する参照文献ＲＥＦ１及びＲＥＦ２に明示されており、図３に示している。図３に示すように、副搬送波マッピングステップは、離散フーリエ変換（Ｄｉｓｃｒｅｔｅ  Ｆｏｕｒｉｅｒ  Ｔｒａｎｓｆｏｒｍａｔｉｏｎ，ＤＦＴ）プリコーダの出力を逆高速フーリエ変換（Ｉｎｖｅｒｓｅ  Ｆａｓｔ  Ｆｏｕｒｉｅｒ  Ｔｒａｎｓｆｏｒｍ，ＩＦＦＴ）の入力から隣接副搬送波の集合にマッピングする。通常のＩＦＦＴサイズは、ＤＦＴプリコーダのサイズより大きい。３ＧＰＰ  ＬＴＥ標準においてアップリンクの伝送は一つの階層のみを有する。
【００２４】
このアップリンク伝送の主な構成要素のうち一つは、データ／制御多重化機能であって、これはＲＥＦ２に記載されている。図４は、データ／制御多重化機能を示すグラフである。図４に示された２次元格子（ｇｒｉｄ）で時間によって与えられたＯＦＤＭシンボルから全仮想副搬送波にかけた出力は図３に示されたように収集されてＤＦＴプリコーダに送信される。
【００２５】
ＲＥＦ５に説明されたように、ＵＬ  ＭＩＭＯ伝送のための、現在のコードワードを階層にマッピングする構造は、ＲＥＦ１のダウンリンク（ＤＬ）ＭＩＭＯ伝送と同じものと合意されており、これを下記の表１に示す。
【００２６】
【表１】
0005890415.tif 000002
【００２７】
３ＧＰＰ  ＬＴＥリリース８及び９において、移動局は一つのサブフレームのうちから総一つのコードワードまで送信することができる。アップリンクデータ（ＵＬ−ＳＣＨ）伝送チャンネルに対するコーディングステップは、図５に示されており、これはＲＥＦ２からやり直されたものである。アップリンク物理チャンネル処理は、図６に示されおり、これはＲＥＦ１からやり直されたものである。図５からの出力は図６への入力になることに留意しなければならない。
【００２８】
３ＧＰＰ  ＬＴＥ−Ａリリース１０において、ＵＬ  ＭＩＭＯ空間多重化（ｓｐａｔｉａｌ  ｍｕｌｔｉｐｌｅｘｉｎｇ，ＳＭ）が導入された。移動局がＬＴＥ−ＡにおいてＵＬ−ＭＩＭＯ  ＳＭ方式を使用してサブフレームから信号を送信するようにスケジューリングされたとき、移動局はサブフレームから総２個のコードワード（ｃｏｄｅｗｏｒｄｓ，ＣＷｓ）まで送信することができる。
【００２９】
ＲＥＦ６において、ＵＬ  ＭＩＭＯにおける制御及びデータの多重化に対する以下のような細部事項が合意された。
●ＨＡＲＱ−ＡＣＫ（ハイブリッド自動再送要求の肯定応答情報（ｈｙｂｒｉｄ  ａｕｔｏｍａｔｉｃ−ｒｅｐｅａｔ−ｒｅｑｕｅｓｔ  ａｃｋｎｏｗｌｅｄｇｅｍｅｎｔ  ｉｎｆｏｒｍａｔｉｏｎ））及びＲＩ（ランク指示（ｒａｎｋ  ｉｎｄｉｃａｔｉｏｎ））：
○二つのコードワードの全階層に対して複製（ｒｅｌｉｃａｔｅｄ）；
○ＵＣＩ（アップリンク制御情報（ｕｐｌｉｎｋ  ｃｏｎｔｒｏｌ  ｉｎｆｏｒｍａｔｉｏｎ））シンボルが全階層に対して時間整列されるようにデータとＴＤＭ多重化；
●ＣＱＩ／ＰＭＩ（チャンネル品質情報（ｃｈａｎｎｅｌ  ｑｕａｌｉｔｙ  ｉｎｆｏｒｍａｔｉｏｎ）／プリコーディング行列情報（ｐｒｅｃｏｄｉｎｇ  ｍａｔｒｉｘ  ｉｎｆｏｒｍａｔｉｏｎ）：
【数１】
0005890415.tif 000003
○ＵＣＩシンボル‐レベル階層のマッピング：データと同じ（又はその一部分として処理）
●ＵＣＩはＨＡＲＱ−ＡＣＫ、ＲＩ、ＣＱＩ／ＰＭＩのうち少なくとも一つを参照する。
【００３０】
ＬＴＥ−Ａリリース１０に記載されたように、ＵＬ  ＭＩＭＯ  ＳＭは２個のコードワードまで使用した送信を許容する。図７は２個のコードワードを使用する伝送チェーンを説明する。
【数２】
0005890415.tif 000004
コーディングステップからの二つの入力は個別的にスクランブリング（ｓｃｒａｍｂｌｉｎｇ）及び変調マッピングを介して処理される。変調マッピングブロックの出力が一つのコードワードである。２個のコードワードまでコードワードから階層へのマッピングブロックで入力されており、このマッピングブロックの出力はＬ個の変調シンボルストリームである階層である。その後、Ｌ個の変調シンボルストリームそれぞれは、変換（又はＤＦＴ）プリコーダに入力され、ＤＦＴプリコーダの出力は送信プリコーディングブロックに入力される。送信プリコーディングブロックはＮｔ個の変調シンボルストリームを生成しており、その各々は送信アンテナポートで送信される。
【００３１】
ＲＥＦ７において、ＵＣＩがＵＬ  ＭＩＭＯ  ＰＵＳＣＨ上で多重化されるとき、ＵＣＩ資源エレメント（ｒｅｓｏｕｒｃｅ  ｅｌｅｍｅｎｔｓ，ＲＥｓ）の個数に対する以下のような細部事項が合意されて文書化された。
ＨＡＲＱ及びＲＩ資源サイズの決定
●下記で代替案１（Ａｌｔｅｒｎａｔｉｖｅ  １）で記述される第１代替案は、基本仮定として考慮される。
●階層当り資源の数は代替案１又は第２代替案の代替案２（Ａｌｔｅｒｎａｔｉｖｅ  ２）に与えられる。
【数３】
0005890415.tif 000005
○多数のベータ値が合意されると、上の数式は多数のベータ値を説明できるように更に調整され得る。
○代替案２（Ａｌｔｅｒｎａｔｉｖｅ  ２）：以下の数式はペイロードが高い場合、追加の最適化のためである：
【数４】
0005890415.tif 000006
ＣＱＩ／ＰＭＩ資源サイズの決定：
●下記で代替案１（Ａｌｔｅｒｎａｔｉｖｅ  １）で記述された第１代替案は、基本仮定として考慮される。
●階層当り資源の数は代替案１又は第２代替案の代替案２に与えられる：
○代替案１（Ａｌｔｅｒｎａｔｉｖｅ  １）：単一のベータ値が合意されると、リリース８の数式の単純拡張は以下の数式のように可能である：
【数５】
0005890415.tif 000007
○多数のベータ値が合意されると、上の数式は多数のベータ値を説明できるように更に調整され得る。
○代替案２（Ａｌｔｅｒｎａｔｉｖｅ  ２）：以下の数式はペイロードが高い場合、追加の最適化のためである：
【数６】
0005890415.tif 000008
【００３２】
ＣＱＩに対するチャンネルコーディング
ＣＱＩのチャンネルコーディング対する以下の説明は、ＲＥＦ２の５．２．２．６．４セクションにさらに記載されている。
【００３３】
チャンネルコーディングブロックへのチャンネル品質ビットの入力はＯ０，Ｏ１，Ｏ２，Ｏ３，．．．，Ｏ０−１、に示すことができ、ここで０はビットの数である。チャンネル品質ビットの数は伝送フォーマットによって決定される。物理アップリンク制御チャンネル（Ｐｈｙｓｉｃａｌ  Ｕｐｌｉｎｋ  Ｃｏｎｔｒｏｌ  Ｃｈａｎｎｅｌ，ＰＵＣＣＨ）基盤の報告フォーマットが使用されるとき、ＣＱＩ／ＰＭＩビットの数は広帯域報告に対するＲＥＦ２の５．２．３．３．１セクションと移動局選択のサブ帯域報告に対するＲＥＦ２の５．３．３．３．２セクションに規制されている。ＰＵＳＣＨ基盤の報告フォーマットが使用されるとき、ＣＱＩ／ＰＭＩビットの数は広帯域報告に対するＲＥＦ２の５．２．２．６．１セクションと上位階層構成のサブ帯域報告に対するＲＥＦ２の５．２．２．６．２セクションと移動局選択のサブ帯域報告に対するＲＥＦ２の５．２．２．６．３セクションに規定されている。
【００３４】
チャンネル品質情報は（３２、Ｏ）ブロックコードを使用して１次コーディングされる。（３２，Ｏ）ブロックコードのコードワードはＭｉ，ｎに示し、ＲＥＦ２の表５．２．２．６．４−１で規定された１１個の基本シーケンス（ｂａｓｉｓ  ｓｅｑｕｅｎｃｅ）の線形結合であって、これは下記の表２のように再構成される。
【００３５】
【表２】
0005890415.tif 000009
【００３６】
符号化されたＣＱＩ／ＰＭＩブロックは  ｂ０，ｂ１，ｂ２，ｂ３，．．．，ｂＢ−１に示されており、ここで、Ｂ＝３２であって、
【数７】
0005890415.tif 000010
であり、ここで、ｉ＝０，１，２，．．．，Ｂ−１である。
出力ビットシーケンスｑ０，ｑ１，ｑ２，ｑ３，．．．，ｑＱＣＱＩ−１は符号化された以下のＣＱＩ／ＰＭＩブロックの循環反復により得られる。
【数８】
0005890415.tif 000011
ここでｉ＝０，１，２，．．．，ＱＣＱＩ−１である。
【００３７】
ＲＥＦ８に提示されたＲＥＦ２に対する草案（ｄｒａｆｔ）ＣＲはＭＩＭＯ  ＰＵＳＣＨにおけるＵＣＩ多重化のための提案を説明したことであって、その該当部分は以下で更に説明される。
【００３８】
制御情報チャンネルコーディング
制御データはチャンネル品質情報（ＣＱＩ及び／又はＰＭＩ）、ＨＡＲＱ−ＡＣＫ及びランク指示形態でコーディング部に到着する。制御情報に対する相互異なる符号率は伝送のために符号化されたシンボルに他の数のシンボルを割当てることによって行われる。制御データがＰＵＳＣＨに送信されるとき、ＨＡＲＱ−ＡＣＫに対するチャンネルコーディング、ランク指示及びチャンネル品質情報Ｏ０，Ｏ１，Ｏ２，．．．，Ｏ０−１に対するチャンネルコーディングは独立的に行われる。
【００３９】
ＴＤＤ（時分割デュープリクス（ｔｉｍｅ  ｄｉｖｉｓｉｏｎ  ｄｕｐｌｅｘ））の場合、ＨＡＲＱ−ＡＣＫバンドリング（ｂｕｎｄｌｉｎｇ）及びＨＡＲＱ−ＡＣＫ多重化（ｍｕｌｔｉｐｌｅｘｉｎｇ）の２個のＨＡＲＱ−ＡＣＫフィードバックモードが上位階層構成（ｃｏｎｆｉｇｕｒａｔｉｏｎ）により支持される。
【００４０】
ＴＤＤ  ＨＡＲＱ−ＡＣＫバンドリングの場合、ＨＡＲＱ−ＡＣＫは一つ又は２個の情報ビットで構成される。ＴＤＤ  ＨＡＲＱ−ＡＣＫ多重化の場合、ＨＡＲＱ−ＡＣＫは一つ乃至４個の情報ビットで構成されており、ここで、ビット数はＲＥＦ３の７．３セクションに記載されたように決定される。
【００４１】
移動局がＨＡＲＱ−ＡＣＫビット又はランク指示子ビットを送信するとき、移動局ＨＡＲＱ−ＡＣＫ又はランク指示子に対する符号化された変調シンボルＱ’の数を以下の数式のように決定する。
【数９】
0005890415.tif 000012
ここで、移動局が初期送信のための同じサブフレームでＰＵＳＣＨとＳＲＳを伝送するように構成されたか、初期送信のためのＰＵＳＣＨ資源割当がＲＥＦ２．５．５．３セクションに規定されたセル特定（Ｃｅｌｌ−ｓｐｅｃｉｆｉｃ）ＳＲＳサブフレーム及び帯域幅構成と部分的に重畳すると、ＮＳＲＳは１である。
【数１０】
0005890415.tif 000013
【００４２】
もし、同じ伝送ブロックに対してダウンリンク制御情報（ｄｏｗｎｌｉｎｋ  ｃｏｎｔｒｏｌ  ｉｎｆｏｒｍａｔｉｏｎ，ＤＣＩ）フォーマット０又は４を有する初期ＰＤＣＣＨがない場合、
【数１１】
0005890415.tif 000014
は以下の二つのオプションのうち一つによって決定される。
●同じ伝送ブロックに対する初期ＰＵＳＣＨが半持続的（ｓｅｍｉ−ｐｅｒｓｉｓｔｅｎｔｌｙ）にスケジューリングされる場合には最近の半持続的なスケジューリング割当ＰＤＣＣＨ；又は
●ＰＵＳＣＨがランダムアクセス応答承認（ｇｒａｎｔ）により開始される場合には同じ伝送ブロックに対するランダムアクセス応答承認。
【００４３】
【数１２】
0005890415.tif 000015
【００４４】
ＨＡＲＱ−ＡＣＫの場合、各肯定確認（ｐｏｓｉｔｉｖｅ  ａｃｋｎｏｗｌｅｄｇｅｍｅｎｔ，ＡＣＫ）は二進数「１」に符号化され、各否定確認（ｎｅｇａｔｉｖｅ  ａｃｋｎｏｗｌｅｇｅｍｅｎｔ，ＮＡＣＫ）は二進数「０」に符号化される。ＨＡＲＱ−ＡＣＫフィードバックが１ビットの情報、例えば、
【数１３】
0005890415.tif 000016
で構成されると、ＨＡＲＱ−ＡＣＫは下記の表３に示されたように変調次数Ｑｍによって１次符号化される。
【００４５】
【数１４】
0005890415.tif 000017
【００４６】
【表３】
0005890415.tif 000018
【表４】
0005890415.tif 000019
【００４７】
【数１５】
0005890415.tif 000020
【００４８】
表３及び４において、『ｘ』と『ｙ』及び下記疑似コード（ｐｓｅｕｄｏ−ｃｏｄｅ）はＲＥＦ２に記載されたようにＨＡＲＱ−ＡＣＫ情報を伝達する変調シンボルのユークリッド距離（Ｅｕｃｌｉｄｅａｎ  ｄｉｓｔａｎｃｅ）を最大化する方式でＨＡＲＱ−ＡＣＫビットをスクランブリング（ｓｃｒａｍｂｌｉｎｇ）するためのプレースホルダー（ｐｌａｃｅｈｏｌｄｅｒ）である。
【００４９】
ＦＤＤ又はＴＤＤ  ＨＡＲＱ−ＡＣＫ多重化を有する実施例の場合、ＨＡＲＱ−ＡＣＫフィードバックが１又は２ビット情報で構成される場合、ビットシーケンス
【数１６】
0005890415.tif 000021
は多数の符号化されたＨＡＲＱ−ＡＣＫブロックの結合（ｃｏｎｃａｔｅｎａｔｉｏｎ）により得られる。ここでＱＡＣＫは全ての符号化されたＨＡＲＱ−ＡＣＫブロックに対する符号化されたビットの全個数である。符号化されたＨＡＲＱ−ＡＣＫブロックの最終結合は全ビットシーケンス長さがＱＡＣＫと同じであるように部分的であってもよい。
【００５０】
【数１７】
0005890415.tif 000022
【００５１】
【数１８】
0005890415.tif 000023
ここでＱＡＣＫは全ての符号化されたＨＡＲＱ−ＡＣＫブロックに対する全符号化されたビットの個数である。符号化されたＨＡＲＱ−ＡＣＫブロックの最終結合は全ビットシーケンス長さがＱＡＣＫと同じであるように部分的であってもよい。
【数１９】
0005890415.tif 000024
ｋ＝（ｋ＋１）ｍｏｄ４ｍ
ｅｎｄ  ｉｆ
ｉ＝ｉ＋１
ｅｎｄ  ｗｈｉｌｅ．
【００５２】
【表５】
0005890415.tif 000025
【００５３】
【数２０】
0005890415.tif 000026
【００５４】
ランク指示（ＲＩ）の場合、ＰＤＳＣＨ送信のためのＲＩフィードバックに対する該当ビット幅はＲＥＦ２の表５．２．２．６．１−２，５．２．２．６．２．−３，５．２．２．６．３−３，５．２．３．３．１−３及び５．２．３．３．２−４で与えられる。ビット幅は該当基地局アンテナ構成及び移動局カテゴリによって階層の最大個数を仮定して決定される。
【数２１】
0005890415.tif 000027
【００５５】
【表６】
0005890415.tif 000028
【表７】
0005890415.tif 000029
【表８】
0005890415.tif 000030
【表９】
0005890415.tif 000031
【００５６】
【数２２】
0005890415.tif 000032
【００５７】
表６と７において、『ｘ』と『ｙ』及び下記疑似コードはＲＥＦ２に記載されたようにランク情報を伝達する変調シンボルのユークリッド距離を最大化する方式にＲＩビットをスクランブリングするためのプレースホルダーである。
【００５８】
ＲＩフィードバックが１又は２ビット情報で構成された実施例の場合、ビットシーケンス
【数２３】
0005890415.tif 000033
は多数の符号化されたＲＩブロックの結合により得られており、ここでＱＲＩは全ての符号化されたＲＩブロックに対して符号化されたビットの全個数である。符号化されたＲＩブロックの最終結合は全ビットシーケンス長さがＱＲＩと同じであるように部分的であってもよい。
【００５９】
【数２４】
0005890415.tif 000034
【００６０】
ＲＥＦ８でＨＡＲＱ−ＡＣＫ及びＲＩコーディングに対して提案された方法は、上述されており、以下のように要約できる。
ステップ１：３≦ＱＡＣＫ≦１１ビットで構成されたＨＡＲＱ−ＡＣＫ及びＲＩフィードバックＲＥＦ２の５．２．２．６．４セクションに定義された（３２、Ｏ）リードマラー（Ｒｅｅｄ−Ｍｕｌｌｅｒ，ＲＭ）コードに符号化される。
ステップ２：ＲＭコードにより生成された長さ３２の符号化ビットシーケンスは２個の連続的ビットの１６個のグループに分割され、各クループではＱｍの長さを有するビットシーケンスが生成される。ここで、最初の２ビットはグループの２個の連続ビットと同じであり、残りビットはフィラー（ｆｉｌｌｅｒ）ビットで充てんされ、それによってＱｍ次数の変調マッピングの最外角星座点（ｃｏｎｓｔｅｌｌａｔｉｎ  ｐｏｉｎｔ）が常に使用される。この状況から各資源エレメントでマッピングされるＨＡＲＱ−ＡＣＫ及びＲＩに対する変調シンボルは単に２個の符号化ビットを含む。
【００６１】
ＭＩＭＯ  ＰＵＳＣＨの各階層でＨＡＲＱ−ＡＣＫ及びＲＩに使用される変調シンボルの個数は、以下の式に従って決定される。
【数２５】
0005890415.tif 000035
【００６２】
移動局と基地局間のチャンネル状態は、良好である場合にはＭＩＭＯ  ＰＵＳＣＨ送信の二つのＭＣＳ（変調及びコーディング方式）個数が大きいとき、上述した式によって決定された、各階層でＨＡＲＱ−ＡＣＫ及びＲＩに使用される変調シンボルの個数Ｑ’は小さくなる（例えば、３）。
【００６３】
ＲＥＦ８で提案されたＨＡＲＱ−ＡＣＫ及びＲＩコーディング方法が上述したＱ’式と共に使用されると、ＨＡＲＱ−ＡＣＫ及びＲＩに対して送信された符号化されたビット個数は２Ｑ’になる。
【００６４】
しかし、３２個の符号化されたビットから小さい数のビット（例えば、１０ビット）のみ維持して多い数のビット（例えば、２２ビット）を天空（ｐｕｎｃｔｕｒｉｎｇ）するとき、（３２、Ｏ）ＲＭコードの最小距離が０に近いことは公知である。この場合、ＨＡＲＱ−ＡＣＫ及びＲＩフィードバックは復号化器にて信頼できるほど復号化されることができない。
【００６５】
この問題を解決するために、ＲＭチャンネルコーディングが使用されると、本発明の実施例はＨＡＲＱ−ＡＣＫ及びＲＩに対して最小個数ＱｍｉｎのＲＥを提供する。例えば、Ｑｍｉｎ＝１０  ＲＥである。ここで、ＱｍｉｎはＨＡＲＱ−ＡＣＫ及びＲｉのペイロードに従って決定される。
【００６６】
本開示の一実施例において、ＰＵＳＣＨ送信でＨＡＲＱ−ＡＣＫ（又はＲＩ）フィードバックに使用されるＲＥ個数はＨＡＲＱ−ＡＣＫ（又はＲＩ）フィードバックのペイロード関数で決定される。
【００６７】
特に、ＨＡＲＱ−ＡＣＫ及びＲＩに使用される、Ｑ’で識別されるＲＥの個数はペイロードＯが第１範囲内に存在するとき一つの数式により決定され、ペイロードＯが第２範囲に存在するとき他の数式により決定される。ペイロードＯが第２範囲内に存在するとき、ＨＡＲＱ−ＡＣＫ及びＲＩに使用されるＲＥの個数Ｑ’はＱｍｉｎで定義する、少なくとも固定された個数が保障される。
【００６８】
一部の実施例において、第１範囲中に存在するペイロードＯは第１チャンネル符号化器により符号化されて第２範囲中に存在するペイロードＯは第２チャンネル符号化器により符号化される。
【００６９】
一部の実施例において、ＱｍｉｎはペイロードＯ；ＭＩＭＯ  ＰＵＳＣＨで送信階層の全個数ＬＰＵＳＣＨ；ＣＷ０（又はＴＢ１）で送信階層Ｌ（１）の個数ｌＣＷ１（Ｑｍ１）及びＣＷ２（Ｑｍ２）に対する変調シンボルでマッピングされるビットの個数Ｑｍ１、Ｑｍ２；及びＣＷ１（又はＴＢ２）で送信階層の個数のうち少なくとも一つの関数で決定される。一例にＱｍｉｎはＨＡＲＱ−ＡＣＫ（又はＲＩ）に対する効果的な符号化率が最大限に一定した率ｒになるように決定されており、ここで０＜ｒ＜１である。一の特別例において、ｒ＝０．５である。この例においてＱｍｉｎはペイロードＯと符号化率ｒの関数である。他の例において、Ｑｍｉｎは二つのコードワードにマッピングされるＨＡＲＱ−ＡＣＫ（又はＲＩ）に対する効果的な符号化率が最大限に一定の率ｒになるように決定されており、ここで０＜ｒ＜１である。
【００７０】
ＨＡＲＱ−ＡＣＫ及びＲＩに対するＲＥの個数決定
本開示の実施例において、ＨＡＲＱ−ＡＣＫ及びＲＩに対するペイロードＯが１又は２である場合、ＨＡＲＱ−ＡＣＫ及びＲＩフィードバックに使用されるＲＥの個数は次の式に従って決定される。
【数２６】
0005890415.tif 000036
【００７１】
ＨＡＲＱ−ＡＣＫ及びＲＩに対するペイロードが２より大きくて１２より小さい場合、ＨＡＲＱ−ＡＣＫ及びＲＩに使用されるＲＥの個数は以下の式に従って決定される。
【数２７】
0005890415.tif 000037
【００７２】
ここで、ＨＡＲＱ−ＡＣＫ及びＲＩに対するＲＥの個数は少なくともＱｍｉｎ個のＲＥであることが保障される。
上述した式を表現する他の方法として次の二つの数式がある。
【数２８】
0005890415.tif 000038
【００７３】
この実施例において以下でより詳しく説明される。次はＲＥＦ８に対する提案された改定を反映する。
【００７４】
移動局がＨＡＲＱ−ＡＣＫビット又はランク指示子ビットを送信するとき、移動局はＨＡＲＱ−ＡＣＫ又はランク指示子に対する符号化された変調シンボルの数Ｑ’を以下の式に従って決定する：
【数２９】
0005890415.tif 000039
【００７５】
ここで、移動局が初期送信のための同じサブフレームでＰＵＳＣＨ及びＳＲＳを伝送するように構成された場合、又は初期送信のためのＰＵＳＣＨ資源割当がＲＥＦ２の５．５．３セクションに規定されたセル特定ＳＲＳサブフレーム及び帯域幅構成と部分的に重畳する場合、ＮＳＲＳは１である。逆の場合、ＮＳＲＳは０である。
【数３０】
0005890415.tif 000040
【００７６】
●同じ伝送ブロックに対する初期ＰＵＳＣＨが半持続的にスケジューリングされる場合、最近の半持続的なスケジューリング割当ＰＤＣＣＨ；又は
●ＰＵＳＣＨがランダムアクセス応答承認により開始される場合、同じ伝送ブロックに対するランダムアクセス応答承認。
【００７７】
【数３１】
0005890415.tif 000041
【００７８】
【数３２】
0005890415.tif 000042
【００７９】
ＱＡＭ変調の角星座マッピングがＨＡＲＱ−ＡＣＫ（又はＲＩ）に使用されるときＱｍｉｎの決定
本開示の他の実施例において、ＨＡＲＱ−ＡＣＫ（又はＲＩ）に使用された変調方式は直交振幅変調（ｑｕａｄｒａｔｕｒｅ  ａｍｐｌｉｔｕｄｅ  ｍｏｄｕｌａｔｉｏｎ，ＱＡＭ）の星座点（例えば、ＱＰＳＫ，１６ＱＡＭ，又は６４ＱＡＭ）から４個の最外角の点を選択して決定される。また、この変調方式は角星座マッピング（ｃｏｒｎｅｒ  ｃｏｎｓｔｅｌｌａｔｉｏｎ  ｍａｐｐｉｎｇ）と呼ばれる。この実施例において符号化された二つのビットは、ＱＡＭ星座から一つのＱＡＭシンボルにマッピングされる。ＱＡＭ変調方式が使用されるとき符号化率ｒを保障するために、符号化されたビット数はＯ／ｒより大きくなければならない。それで、変調シンボルの個数（又はＨＡＲＱ−ＡＣＫ又はＲＩに対するＲＩの個数）はＯ／（２ｒ）より大きくなければならない。
【００８０】
同じ符号化されたビット数が複製され、変調されてＭＩＭＯ  ＰＵＳＣＨの各送信階層にマッピングされる場合、各階層のＨＡＲＱ−ＡＣＫ（又はＲＩ）に対するＲＥの最少数は
【数３３】
0005890415.tif 000043
により決定される。例えば、ｒ＝０．５である場合、Ｑｍｉｎ＝０である。
【００８１】
違って符号化されたビット（例えば、他のリダンダンシー（ｒｅｄｕｎｄａｎｃｙ）バージョンを有する符号化されたビット）が変調されてＭＩＭＯ  ＰＵＳＣＨの各ＬＰＵＳＣＨ送信階層でマッピングされると、各階層のＨＡＲＱ−ＡＣＫ（又はＲＩ）フィードバックに対する最小ＲＥ個数は
【数３４】
0005890415.tif 000044
で決定される。例えば、ｒ＝０．５である場合、
【数３５】
0005890415.tif 000045
である。
【００８２】
一般的なＱＡＭ変調がＨＡＲＱ−ＡＣＫ（又はＲＩ）に使用されるときＱｍｉｎの決定
本開示の他の実施例において直交振幅変調（例えば、ＱＰＳＫ，１６ＱＡＭ，又は６４ＱＡＭ）がＨＡＲＱ−ＡＣＫ（又はＲＩ）に対する変調方式に使用される。この実施例においてＱｍ個の符号化されたビットは一つのＱＡＭシンボルにマッピングされ、ここで、ＱＰＳＫ，１６ＱＡＭ，又はＱＡＭ変調である場合それぞれＱｍ＝２，４又は６である。この変調方式が使用されるとき符号化率ｒを保障するために、符号化されたビットの個数はＯ／ｒより大きくなければならない。それで、変調シンボルの個数（又はＨＡＲＱ−ＡＣＫ又はＲＩに対するＲＩの個数）はＯ／（Ｑｍ  ｒ）より大きくなければならない。
【００８３】
Ｑｍ１及びＱｍ２がそれぞれＣＷ０（又はＴＢ１）及びＣＷ１（又はＴＢ２）に対する変調次数である場合、Ｑｍｉｎを決定するためのＱｍ’の変調次数はＱｍ１及びＱｍ２の関数で決定される。
【００８４】
一例として、
【数３６】
0005890415.tif 000046
である。この例において二つのＣＷでマッピングされたＨＡＲＱ−ＡＣＫ又はＲＩに対する二つの符号化率のうち少なくとも一つはｒより小さいことが保障される。
【００８５】
他例として、
【数３７】
0005890415.tif 000047
である。この例において二つのＣＷでマッピングされたＨＡＲＱ−ＡＣＫ又はＲＩに対する二つの符号化率は両方ｒより小さいことが保障される。
【００８６】
また他例として、
【数３８】
0005890415.tif 000048
である。この例において、二つのＣＷでマッピングされたＨＡＲＱ−ＡＣＫ又はＲＩに対する平均符号化率はｒより小さいことが保障される。
【００８７】
次の例の数式は各階層に対するＨＡＲＱ−ＡＣＫ（又はＲＩ）フィードバックに対するＲＥの最小個数を決定することに使用され得る。
【数３９】
0005890415.tif 000049
例えば、上述したＬＴＥ（３２、Ｏ）コードが使用される場合、Ａ＝３２である。この数式を使用することによって、ＨＡＲＱ−ＡＣＫ及びＲＩに対して送信された符号化されたシンボルの最小個数は少なくともＡである。
【００８８】
一部の実施例において、違うように符号化されたシンボル（即ち、違うリダンダンシーバージョンを有するシンボル）がＭＩＭＯ  ＰＵＳＣＨのＬＰＵＳＣＨ送信階層に送信される（即ち、ＭＩＭＯ  ＰＵＳＣＨの送信ランク＝ＬＰＵＳＣＨ）。
【００８９】
二のＣＷがの全てＨＡＲＱ−ＡＣＫ（又はＲＩ）に対して同じ変調方式を使用する場合、各階層におけるＨＡＲＱ−ＡＣＫ（又はＲＩ）フィードバックに対する最小個数のＲＥが
【数４０】
0005890415.tif 000050
に設定される。ｒ＝０．５であって１６ＱＡＭ変調が二ＣＷのＨＡＲＱ−ＡＣＫに使用されると、例えば、
【数４１】
0005890415.tif 000051
である。
【００９０】
各ＣＷがＨＡＲＱ−ＡＣＫ（又はＲＩ）に対する他の変調方式を使用される場合、各階層におけるＨＡＲＱ−ＡＣＫ（又はＲＩ）フィードバックに対する最小個数のＲＥは
【数４２】
0005890415.tif 000052
に設定される。ｒ＝０．５であって、１６ＱＡＭ変調がＣＷ０に使用され、６４ＱＡＭ変調がＣＷ１に使用される場合、例えば、
【数４３】
0005890415.tif 000053
である。
【００９１】
チャンネルコーディング以前にＨＡＲＱ−ＡＣＫ及びＲＩの反復
本開示の一実施例において、ＭＩＭＯ  ＰＵＳＣＨ上でピギーバック（ｐｉｇｇｙｂａｃｋ）されるＨＡＲＱ−ＡＣＫペイロード（又はＲＩペイロード）は図７に示すようにＭＩＭＯ  ＰＵＳＣＨで送信される二つのＴＢ、つまりＴＢ１及びＴＢ２に対する二つの独立的なコーディングステップへの入力として提供される。ＴＢ１に対するコーディングステップ（チャンネルコーディングブロック１に示す）でＨＡＲＱ−ＡＣＫチャンネルコーディングブロック（又はＲＩチャンネルコーディングブロック）はＴＢ２に対するコーディングステップ（チャンネルコーディングブロック２に示す）でコーディングブロックと異なるＨＡＲＱ−ＡＣＫ符号化ビットを生成することができる。特に、チャンネルコーディングブロック１により生成された符号化されたビットはチャンネルコーディングブロック２により生成された符号化されたビットと違うリダンダンシーバージョンを有することができる。
【００９２】
一部システムにおいて、符号化されたビットは階層で複製される。よって、各階層に割当てたＨＡＲＱ−ＡＣＫ  ＲＥの個数が小さく、Ｑｍ符号化されたビットを一つの変調シンボルでマッピングするＱＡＭ変調が使用されるとき、符号化率はＯ／ＱｍＱにより決定される。これに対して、本開示の方法は階層にて違って符号化されたビットを生成することができる。従って、符号化率は、Ｏ／ＱｍＱ‘ＬＰＵＳＣＨほど小さくなり得るし、ここでＬＰＵＳＣＨはＭＩＭＯ  ＰＵＳＣＨで二つのＴＢ（又はＣＷ）に対する送信階層の全個数である。分析は本開示の方法がゼロ（０）の最初距離誤差状態を防止することにおいて従来の方法よりもっと強力（ｒｏｂｕｓｔ）であることを示す。
【００９３】
図８Ａ乃至図８Ｃは本開示の実施例によるチャンネルコーディング方法を示す図である。図８Ａは、チャンネルコーディングブロック１及び２の入力と出力を示す図である。図８Ａに示すように、チャンネルコーディングブロック１及び２に対する入力は、ＯビットのＨＡＲＱ−ＡＣＫペイロード（又はＲＩペイロード）である。チャンネルコーディングブロック１及び２の出力は、Ｌ（ｐ）ＱＡＣＫ符号化されたビットであって、ここでＱＡＣＫは各階層にマッピングされるＨＡＲＱ−ＡＣＫ（又はＲＩ）符号化されたビットの個数で、Ｌ（ｐ）はＴＢ  ｐを伝達するコードワードにおいて全階層の数である。ＱＡＣＫはＰＵＳＣＨでＨＡＲＱ−ＡＣＫ（又はＲＩ）フィードバックに使用される変調方式及びＲＥの個数の関数で決定され、次の例で説明されるとおりである。
【００９４】
一例として、ＨＡＲＱ−ＡＣＫ（又はＲＩ）に使用される変調方式は、直交振幅変調（ＱＡＭ）星座図（例えば、ＱＰＳＫ，１６ＱＡＭ，又は６４ＱＡＭ）から４個の最外角点を選択して決定してもよい。この例において、二つの符号化されたビットはＱＡＭ星座図から一つのＱＡＭシンボルにマッピングされる。この例において、ＱＡＣＫ＝２ＱＡＣＫ’であって、ここでＱ’ＡＣＫはＭＩＭＯ  ＰＵＳＣＨでＨＡＲＱ−ＡＣＫ（又はＲＩ）フィードバックを伝達するＲＥの個数である。
【００９５】
他例として、直交振幅変調（例えば、ＱＰＳＫ，１６ＱＡＭ，又は６４ＱＡＭ）はＨＡＲＱ−ＡＣＫ（又はＲＩ）に対する変調方式に使用される。この例において、Ｑｍ符号化されたビットは一つのＱＡＭシンボルにマッピングされ、ＱＰＳＫ，１６ＱＡＭ，又は６４ＱＡＭ変調に対して各々Ｑｍ＝２，４又は６である。この例において、ＱＡＣＫ＝ＱｍＱ’ＡＣＫであって、ここでＱ’ＡＣＫはＭＩＭＯ  ＰＵＳＣＨ上の各階層でＨＡＲＱ−ＡＣＫ（又はＲＩ）を伝達するＲＥの個数である。
【００９６】
本開示の実施例において、Ｌ（ｐ）はＣＷから階層へのマッピング方法によって決定され、次の例で説明されるとおりである。
【００９７】
一例として、ＭＩＭＯ  ＰＵＳＣＨで送信階層（又は送信ランク）の個数は２である。この例において、各ＴＢは二階層にそれそれ送信される：Ｌ（１）＝１，Ｌ（２）＝１。
【００９８】
他例として、ＭＩＭＯ  ＰＵＳＣＨで送信階層（又は送信ランク）の個数は３である。この例において、ＴＢ１は三つの階層のうち一つに送信され、ＴＢ２は他の二階層に送信される：Ｌ（１）＝１，Ｌ（２）＝２。
【００９９】
本開示の一実施例において、Ｏで示してＨＡＲＱ−ＡＣＫペイロード（又はＲＩペイロード）が２より大きくて１２より小さい場合、ペイロードは表２に示すように（３２、Ｏ）リードマラーコードに符号化される。
【０１００】
チャンネルコーディングフロック１及び２の場合、符号化されたＨＡＲＱ−ＡＣＫ（又はＲＩ）ブロックはｂ１，ｂ２，ｂ３，．．．，ｂＢ−１に表示され、ここでＢ＝３２であって、ｉ＝０，１，２，…，Ｂ−１であるとき、
【数４４】
0005890415.tif 000054
である。符号化された。ＨＡＲＱ−ＡＣＫ（又はＲＩ）ブロックが生成されると、チャンネルコーディングブロック１及び２は他のＨＡＲＱ−ＡＣＫ符号化されたビット（又はＲＩ符号化されたビット）を生成する。
【０１０１】
図８Ｂはチャンネルコーディングブロック１及び２の符号化器の出力の一例を示す図である。図８Ｂに示すように、チャンネルコーディングブロック１でＬ（１）ＱＡＣＫ  ＨＡＲＱ−ＡＣＫ符号化されたビット（又はＲＩ符号化されたビット）はビット０（ｂ０）から開始する符号化されたＨＡＲＱ−ＡＣＫ（又はＲＩ）ブロックの循環反復により得られる。言い換えると、
【数４５】
0005890415.tif 000055
であって、ここでｉ＝０，１，２，．．．，Ｌ（１）ＱＡＣＫ−１である。
【０１０２】
チャンネルコーディングブロック２でＬ（２）ＱＡＣＫ  ＨＡＲＱ−ＡＣＫ符号化されたビット（又はＲＩ符号化されたビット）はＬ（２）ＱＡＣＫ  ｍｏｄ  Ｂビットから開始する符号化されたＨＡＲＱ−ＡＣＫ（又はＲＩ）ブロックの循環反復により得られる。言い換えると、
【数４６】
0005890415.tif 000056
であって、ここでｉ＝０，１，２，．．．，Ｌ（１）ＱＡＣＫ−１である。
【０１０３】
図８Ｃはチャンネルコーディングブロック１及び２の符号化器の出力の他例を示す図である。図８Ｃに示すように、チャンネルコーディングブロック１でＬ（１）ＱＡＣＫ  ＨＡＲＱ−ＡＣＫ符号化されたビット（又はＲＩ符号化されたビット）はビット０（ｂ０）から開始する符号化されたＨＡＲＱ−ＡＣＫ（又はＲＩ）ブロックの循環反復により得られる。言い換えると、
【数４７】
0005890415.tif 000057
であって、ここでｉ＝０，１，２，．．．，Ｌ（１）ＱＡＣＫ−１である。
【０１０４】
チャンネルコーディングブロック２でＬ（２）ＱＡＣＫ  ＨＡＲＱ−ＡＣＫ符号化されたビット（又はＲＩ符号化されたビット）はＨＡＲＱ−ＡＣＫ（又はＲＩブロック）の最後ビットｂＢから開始して第１ビットに戻る、符号化されたＨＡＲＱ−ＡＣＫ（又はＲＩ）ブロックの循環反復により得られる。言い換えると、
【数４８】
0005890415.tif 000058
であって、ここでｉ＝０，１，２，．．．，Ｌ（２）ＱＡＣＫ−１である。
【０１０５】
図８Ｃに示した例において、チャンネルコーディングブロック１及び２から得られたＨＡＲＱ−ＡＣＫ符号化されたビット（又はＲＩ符号化されたビット）に対して一つに統合された数式にまとめられる。例えば、出力ビットシーケンス
【数４９】
0005890415.tif 000059
は次の式に従って符号化されたＨＡＲＱ−ＡＣＫブロックの循環反復によって得られる：
【数５０】
0005890415.tif 000060
ここでｉ＝０，１，２，．．．，Ｌ（ｐ）ＱＡＣＫ−１であって、ｐ∈｛１，２｝はＴＢ番号（又はＴＢインデックス）である。
【０１０６】
または、出力ビットシーケンス
【数５１】
0005890415.tif 000061
は次の式に従って符号化されたＨＡＲＱ−ＡＣＫブロックの循環反復によって得られることができる：
【数５２】
0005890415.tif 000062
ここでｉ＝０，１，２，．．．，Ｌ（ｐ’）ＱＡＣＫ−１であって、ｐ’∈｛０，１｝はＣＷ番号（又はＣＷインデックス）である。
【０１０７】
本発明は例示的な実施例と共に説明されたが、多様な変更と変形が当業者へ提示され得る。本開示はそのような変更と変形が添付の特許請求の範囲内に含まれ得るように意図されたものである。
【符号の説明】
【０１０８】
１００    無線ネットワーク
１０１・１０２    基地局
１０３・１１２・１１４・１１５・１１６    基地局
１２０・１２５    カバレッジ領域
１３０    インターネット
２０６    受信アンテナ
２１２    データストリーム
【図１】
0005890415.tif 000075
【図２】
0005890415.tif 000076
【図３】
0005890415.tif 000077
【図４】
0005890415.tif 000078
【図５】
0005890415.tif 000079
【図６】
0005890415.tif 000080
【図７】
0005890415.tif 000081
【図８Ａ】
0005890415.tif 000082
【図８Ｂ】
0005890415.tif 000083
【図８Ｃ】
0005890415.tif 000084